(57)【特許請求の範囲】
【請求項１】
底壁(1)の周囲には、一方の対向する辺に側壁(2)が連設され、他方の対向する辺に端板(7)が連設され、前記底壁(1)から前記側壁(2)及び前記端板(7)が起立し、前記側壁(2)の側端に角稜線(8)を介して連設された連結片(9)が前記端板(7)に固定されることにより端壁(3)が形成されて、前記側壁(2)及び前記端壁(3)がコーナー部を挟んで繋がり、スタッキング状態での積ずれ防止用として、コーナー部の上部に係合凸部(10)を、下部に係合凹部(11)をそれぞれ備えた包装容器において、
前記コーナー部には、底側から上方へ離れた位置を起点として、角稜線(8)から側壁(2)及び端壁(3)の連結片(9)の下端へかけて間隔が広がるように斜め方向に延びる斜折線(11a,11b)が入れられると共に、斜折線(11a,11b)の間の部分に角稜線(8)から下方へ延びる谷折線(11c)が入れられており、
前記底壁(1)は、前記斜折線(11a，11b)の下端間の部分に対応して四隅が斜めに切断され、ブランクの状態では、前記端板(7)の側端と前記連結片(9)の間に隙間が開いており、
前記コーナー部の斜折線(11a，11b)の間の部分が、外面側から見て、前記側壁(2)及び端壁(3)に対し斜折線(11a，11b)に沿って山折りされ、谷折線(11c)に沿って谷折りされることにより、内側へ窪むように折り込まれて、前記係合凹部(11)が形成されていることを特徴とするスタッキング機能付き包装容器。
【発明の詳細な説明】
【技術分野】
【０００１】
この発明は、スタッキング状態での積ずれを防止する機能を備えた包装容器に関するものである。
【背景技術】
【０００２】
従来、下記特許文献１には、図５に示すように、底壁５１の周囲に連設された各一対の側壁５２及び端壁５３を起立させ、側壁５２から角稜線５４を介して延びる連結片５５を折り曲げてコーナー部を形成し、端壁５３に連結片５５を貼り付けたトレイ状の包装容器において、コーナー部の上部に突起状の係合凸部５６を設け、下部に係合凹部５７を設けたものが記載されている。
【０００３】
この包装容器の係合凹部５７は、側壁５２から角稜線５４を横切って連結片５５へ至る切目線の下方を内側へ折り込んだ第１折込部５７ａと、底壁５１から端壁５３へ至る切目線の端側を内側へ折り込んだ第２折込部５７ｂとの重畳により形成される。
【０００４】
このような包装容器を積み重ねてスタッキング状態とする際には、下段側の包装容器の係合凸部５６を、上段側の包装容器の係合凹部５７に係合させて、下段側と上段側の包装容器の積ずれを防止する。
【０００５】
また、下記特許文献２には、図６に示すように、底壁６１の周囲に連設された各一対の側壁６２及び端壁６３を下方から上方へかけて外側へ傾くように起立させ、側壁６２と端壁６３とをコーナー部で繋ぎ、側壁６２及び端壁６３がそれぞれ上端に額縁部６４，６５を有する二重構造を形成するようにした包装容器が記載されている。
【０００６】
このような包装容器を積み重ねてスタッキング状態とする際には、下段側の包装容器の額縁部６４，６５に上段側の包装容器の底壁６１の周縁部を載せて、下段側の包装容器により上段側の包装容器が支持されるようにする。
【先行技術文献】
【特許文献】
【０００７】
【特許文献１】特開２００９−２９４９４号公報
【特許文献２】特開２０１２−１６２２８９号公報
【発明の概要】
【発明が解決しようとする課題】
【０００８】
しかしながら、図５に示す包装容器では、係合凹部５７を形成するための切目線が角稜線５４を横切っているため、構造的に弱く、輸送時の衝撃等による外力で角稜線５４の付近が破れたり、係合凹部５７に臨む部分が破れたりして、組立形状が損なわれるような損壊が生じやすいという問題があった。
【０００９】
また、図６に示す包装容器では、側壁６２及び端壁６３が傾斜しているため、重量物を収納した状態での積み重ねにより、保管時に垂直方向の大きな荷重が作用する場合、側壁６２と端壁６３の連結部分に大きな負荷が作用して、側壁６２及び端壁６３が倒れやすくなり、荷重に対する耐圧強度が低くなるという問題があった。
【００１０】
そこで、この発明は、構造的に強固で、耐圧強度に優れたスタッキング機能付き包装容器を提供することを課題とする。
【課題を解決するための手段】
【００１１】
上記課題を解決するため、この発明は、底壁の周囲には、一方の対向する辺に側壁が連設され、他方の対向する辺に端板が連設され、前記底壁から前記側壁及び前記端板が起立し、前記側壁の側端に角稜線を介して連設された連結片が前記端板に固定されることにより端壁が形成されて、前記側壁及び前記端壁がコーナー部を挟んで繋がり、スタッキング状態での積ずれ防止用として、コーナー部の上部に係合凸部を、下部に係合凹部をそれぞれ備えた包装容器において、
前記コーナー部には、底側から上方へ離れた位置を起点として、角稜線から側壁及び端壁の連結片の下端へかけて間隔が広がるように斜め方向に延びる斜折線が入れられると共に、斜折線の間の部分に角稜線から下方へ延びる谷折線が入れられており、
前記底壁は、前記斜折線の下端間の部分に対応して四隅が斜めに切断され、ブランクの状態では、前記端板の側端と前記連結片の間に隙間が開いており、
前記コーナー部の斜折線の間の部分が、外面側から見て、前記側壁及び端壁に対し斜折線に沿って山折りされ、谷折線に沿って谷折りされることにより、内側へ窪むように折り込まれて、前記係合凹部が形成されているものとしたのである。
【発明の効果】
【００１２】
この発明に係る包装容器では、コーナー部の下部の係合凹部を、角稜線を横切る切目線を入れることなく、斜折線と谷折線に沿った折り曲げのみによって形成しているので、構造的に強固となり、輸送時の衝撃等による損壊が生じにくくなる。
【００１３】
また、側壁及び端壁が組立状態で直立する構成とすることができ、重量物を収納した状態で積み重ねても、垂直方向の大きな荷重で側壁及び端壁が倒れることがなく、保管適性に優れたものとすることができる。
【図面の簡単な説明】
【００１４】
【図１】この発明の実施形態に係る段ボール製のスタッキング機能付き包装容器のブランクを示す図
【図２】同上の組立状態を示す斜視図
【図３】同上のコーナー部を下方から示す部分拡大斜視図
【図４】同上の包装容器のスタッキング状態を示す斜視図
【図５】特許文献１に記載の包装容器のスタッキング状態を示す斜視図
【図６】特許文献２に記載の包装容器のスタッキング状態を示す斜視図
【発明を実施するための形態】
【００１５】
以下、この発明の実施形態を添付図面に基づいて説明する。
【００１６】
この包装容器は、トレイ状のものであり、図１に示すような段ボールシートのブランクから組み立てられる。このブランクでは、底壁１の四隅が斜めに切断され、底壁１の対向する長辺に側壁２を構成する外側板４、頂部５及び内側板６が順次連設され、底壁１の対向する短辺に端壁３を構成する端板７が連設され、外側板４の両端に角稜線８を介して端壁３を構成する連結片９が連設されている。
【００１７】
外側板４と連結片９の境界に臨んでコーナー部をなす部分には、頂部５の両側方で突出する係合凸部１０が設けられている。
【００１８】
また、係合凹部１１を形成するため、高さ方向の中間位置を起点とし、角稜線８から外側板４及び連結片９の組立時の下端へかけて間隔が広がるように斜め方向に延びる斜折線１１ａ，１１ｂが入れられると共に、斜折線１１ａ，１１ｂの間の部分に角稜線８から組立時の下方へ延びる谷折線１１ｃが入れられている。
【００１９】
斜折線１１ａ，１１ｂと谷折線１１ｃは、それぞれ組立時に折れ曲がりやすいように、切目が断続的に入れられたリード罫とされている。
【００２０】
なお、谷折線１１ｃは、角稜線８の延長線上に１本のみ設けたものを例示しているが、斜折線１１ａ，１１ｂの交点から下方へ複数本設けるようにしてもよい。
【００２１】
このようなブランクを組み立てるには、図２に示すように、外側板４から頂部５及び内側板６を順次内側へ折り曲げ、外側板４の内面に内側板６を貼り付けて二重構造の側壁２を形成し、底壁１から一対の側壁２を起立させる。
【００２２】
次に、コーナー部を形成するように角稜線８に沿って連結片９を内側へ折り曲げて、各コーナー部の上部に係合凸部１０が突出した状態とし、底壁１から一対の端板７を起立させ、連結片９の外面に端板７を貼り付けて端壁３を形成する。
【００２３】
そして、各コーナー部の下部において、図３に示すように、斜折線１１ａ，１１ｂの間の部分を、外面側から見て、外側板４及び端板７に対し斜折線１１ａ，１１ｂに沿って山折りし、谷折線１１ｃに沿って谷折りすることにより、内側へ窪むように折り込んで係合凹部１１を形成する。
【００２４】
このように組み立てた包装容器を積み重ねてスタッキング状態とする際には、図４に示すように、下段側の包装容器の係合凸部１０を、上段側包装容器の係合凹部１１に係合させて、下段側と上段側の包装容器の積ずれを防止する。
【００２５】
上記のような包装容器では、コーナー部の下部の係合凹部１１を、角稜線８を横切る切目線を入れることなく、斜折線１１ａ，１１ｂと谷折線１１ｃに沿った折り曲げのみによって形成しているので、構造的に強固となり、輸送時の衝撃等によりコーナー部が破れるような損壊が生じにくくなる。
【００２６】
また、側壁２及び端壁３が組立状態で直立しているので、重量物を収納した状態で積み重ねても、垂直方向の大きな荷重で側壁２及び端壁３が倒れる方向への力が作用することがなく、保管適性に優れたものとなる。
【００２７】
このため、例えば、冷蔵した流通過程での結露により強度低下が懸念されるカップ入りヨーグルトの収納用トレイや、相当な重量となるじゃがいも等の青果物収納用トレイとして使用すると、収納物を確実に保護して輸送し、保管することができる。
【００２８】
なお、上記実施形態では、天面が開放されたトレイ状の包装容器を例示したが、トレイ状の部分に天面を閉じる蓋フラップを連設した包装容器や、Ａ式と呼ばれる溝切形の包装容器のほか、ラップラウンド式の包装容器において、コーナー部に上方へ突出する係合凸部を設けると共に、上記のような構成の係合凹部を設けて、スタッキング機能を付加するようにしてもよい。
【符号の説明】
【００２９】
１  底壁
２  側壁
３  端壁
４  外側板
５  頂部
６  内側板
７  端板
８  角稜線
９  連結片
１０  係合凸部
１１  係合凹部
１１ａ，１１ｂ  斜折線
１１ｃ  谷折線
【図１】
0006742148.tif 000002
【図２】
0006742148.tif 000003
【図３】
0006742148.tif 000004
【図４】
0006742148.tif 000005
【図５】
0006742148.tif 000006
【図６】
0006742148.tif 000007